(57)【要約】【課題】車両旋回時における車体のねじれを効果的に抑制する。【解決手段】車両の前端部において車幅方向に延設されたアッパバー１０と、アッパバー１０よりも後方において車幅方向の左右両側に位置する一対の固定先部材６と、アッパバー１０の車幅方向中間部と各固定先部材６とを接続する一対の第１ブレース２１と、車幅方向に延設されて一対の第１ブレース２１間を接続する第２ブレース２２と、を備える。各第１ブレース２１は湾曲形成されている。【選択図】図２
2020006851.tif 000002
【特許請求の範囲】
【請求項１】
車両の前端部において車幅方向に延設されたアッパバーと、
前記アッパバーよりも後方において車幅方向の左右両側に位置する一対の固定先部材と、
前記アッパバーの車幅方向中間部と各々の前記固定先部材とを接続する一対の第１ブレースと、
車幅方向に延設され、前記一対の第１ブレース間を接続する第２ブレースと、を備え、
各々の前記第１ブレースは湾曲形成されている
ことを特徴とする、車体前部構造。
【請求項２】
前記各々の第１ブレースは、上面視で内側に向かって凸となるように湾曲形成されている
ことを特徴とする、請求項１記載の車体前部構造。
【請求項３】
前記各々の第１ブレースは、前面視で上方に向かって凸となるように湾曲形成されている
ことを特徴とする、請求項１又は２記載の車体前部構造。
【請求項４】
前記固定先部材は、スプリングハウスの上端部に固定されるとともに前記スプリングハウスの上面から上方へ立設されたブラケットである
ことを特徴とする、請求項１〜３のいずれか１項に記載の車体前部構造。
【請求項５】
前記第２ブレースは、前記一対の第１ブレースの中間部同士を接続する
ことを特徴とする、請求項１〜４のいずれか１項に記載の車体前部構造。
【請求項６】
前記第２ブレースは、前記一対の第１ブレースの変形を阻害しない変形許容部を有する
ことを特徴とする、請求項５記載の車体前部構造。
【請求項７】
前記アッパバーの下方に位置する骨格部材と前記アッパバーとを接続して前記アッパバーを支持する一対のサイドポストと、
前記アッパバーの前記車幅方向中間部と各々の前記サイドポストとを接続する一対の第３ブレースと、を備えた
ことを特徴とする、請求項１〜６のいずれか１項に記載の車体前部構造。
【請求項８】
前記第１ブレースの各前端部が前記アッパバーに固定される車幅方向位置と、前記第３ブレースの各上端部が前記アッパバーに固定される車幅方向位置とが一致している
ことを特徴とする、請求項７記載の車体前部構造。
【発明の詳細な説明】
【技術分野】
【０００１】
本発明は、車両の車体前部構造に関する。
【背景技術】
【０００２】
従来、ボンネット下の空間（いわゆるエンジンルーム）を形成する骨格部材を、複数の部材で筋交い状に連結することで車体前部の剛性を向上させた構造が提案されている（例えば特許文献１参照）。車体前部の剛性を向上させることで、車両旋回時における車体前部のねじれが抑えられるため、操縦安定性が向上する。
【先行技術文献】
【特許文献】
【０００３】
【特許文献１】米国特許第９５３３７１４号明細書
【発明の概要】
【発明が解決しようとする課題】
【０００４】
しかしながら、上記の特許文献１の構造では、車両側方に位置する部材と車両前方において車幅方向に延設された部材とが複数の部材により斜めにのみ接続されており、車両旋回時における車体のねじれの抑制効果をより高めるためには改善の余地がある。
【０００５】
本件の車体前部構造は、このような課題に鑑み案出されたもので、車両旋回時における車体のねじれを効果的に抑制することを目的の一つとする。なお、これらの目的に限らず、後述する発明を実施するための形態に示す各構成により導かれる作用効果であって、従来の技術によっては得られない作用効果を奏することも本件の他の目的である。
【課題を解決するための手段】
【０００６】
（１）ここで開示する車体前部構造は、車両の前端部において車幅方向に延設されたアッパバーと、前記アッパバーよりも後方において車幅方向の左右両側に位置する一対の固定先部材と、前記アッパバーの車幅方向中間部と各々の前記固定先部材とを接続する一対の第１ブレースと、車幅方向に延設され、前記一対の第１ブレース間を接続する第２ブレースと、を備え、各々の前記第１ブレースは湾曲形成されている。
【０００７】
（２）前記各々の第１ブレースは、上面視で内側に向かって凸となるように湾曲されていることが好ましい。
（３）前記各々の第１ブレースは、前面視で上方に向かって凸となるように湾曲形成されていることが好ましい。
【０００８】
（４）前記固定先部材は、スプリングハウスの上端部に固定されるとともに前記スプリングハウスの上面から上方へ立設されたブラケットであることが好ましい。
（５）前記第２ブレースは、前記一対の第１ブレースの中間部同士を接続することが好ましい。
（６）前記第２ブレースは、前記一対の第１ブレースの変形を阻害しない変形許容部を有することが好ましい。
【０００９】
（７）前記車体前部構造は、前記アッパバーの下方に位置する骨格部材と前記アッパバーとを接続して前記アッパバーを支持する一対のサイドポストと、前記アッパバーの前記車幅方向中間部と各々の前記サイドポストとを接続する一対の第３ブレースと、を備えていることが好ましい。
（８）前記第１ブレースの各前端部が前記アッパバーに固定される車幅方向位置と、前記第３ブレースの各上端部が前記アッパバーに固定される車幅方向位置とが一致していることが好ましい。
【発明の効果】
【００１０】
開示の車体前部構造によれば、一対の第１ブレースと、車幅方向に延設されてこれらを接続する第２ブレースとによって、車両旋回時における車体前部のねじれを効果的に抑制することができる。
【図面の簡単な説明】
【００１１】
【図１】第一実施形態に係る車体前部構造が適用された車両の模式的な斜視図である。
【図２】図１の車体前部構造を示す拡大斜視図である。
【図３】（ａ）〜（ｃ）は図１の車体前部構造が備える第１ブレース及び第２ブレースの構成及び作用を説明するための模式図であり、（ｄ）は変形例である。
【図４】第二実施形態に係る車体前部構造を示す拡大斜視図である。
【図５】（ａ）〜（ｃ）は図４の車体前部構造が備える第１ブレース及び第２ブレースの構成及び作用を説明するための模式図であり、（ｄ）は変形例である。
【図６】他の実施形態に係る車体前部構造を示す斜視図である。
【発明を実施するための形態】
【００１２】
図面を参照して、実施形態としての車体前部構造について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
以下の説明では、車両の進行方向を前方（車両前方）、逆側を後方（車両後方）とし、前方を基準に左右を定める。また、重力の方向を下方とし、その逆を上方として説明する。さらに、車両の左右方向（車幅方向）において、車室側（車両内側）を「内側」といい、その逆（車両外側）を「外側」という。
【００１４】
［１．第一実施形態］
［１−１．全体構成］
図１に示すように、本実施形態の車体前部構造は、モノコック構造の車両１に適用される。車両１の車体の車室前方側には、左右一対のフロントサイドメンバ２（骨格部材）が配置される。フロントサイドメンバ２は、図示しないボンネットの下方の空間（例えばエンジンルームとして使用される空間、以下「ボンネット室１Ａ」と呼ぶ）を下面側から支える骨格部材である。
【００１５】
一対のフロントサイドメンバ２は、左右方向に互いに間隔をあけて配置され、前後方向（車長方向）に延設される。なお、フロントサイドメンバ２の間はクロスメンバ１４などで接続される。また、フロントサイドメンバ２の前端面には、クラッシュボックス７が固定される。フロントサイドメンバ２よりも上方には、左右一対のアッパフレーム３（フロントフェンダエプロンとも呼ばれる）が配置される。アッパフレーム３は、フロントサイドメンバ２よりも車幅方向外側（車両外側）の位置でフロントピラー４から前方に向かって延設される。なお、車室とボンネット室１Ａとの間は、ダッシュパネル５で前後方向に区画される。
【００１６】
一対のフロントサイドメンバ２の間には、車両１のエンジンやトランスミッションなどのパワープラント（図示略）が配置される。また、ダッシュパネル５の前方であってフロントサイドメンバ２の外側かつアッパフレーム３の内側には、スプリングハウス６が設けられる。スプリングハウス６は、図示しないフロントサスペンションの上部を車体に支持するための部位であり、サスペンションタワー，ストラットタワーとも呼ばれる。図２に示すように、スプリングハウス６は、内側にショックアブソーバ及びコイルスプリング（いずれも図示略）を収容する容器形状に形成され、フロントサイドメンバ２及びアッパフレーム３の各々に対して接合される。
【００１７】
図１に示すように、車体の前端部には車幅方向に延設された部材が複数配置される。本実施形態では、上から順番に、アッパバー１０，バンパビーム８，フロントクロスメンバ９が設けられる。アッパバー１０は、左右のアッパフレーム３の前端部同士を接続する部材であり、フロントサイドメンバ２よりも上方に配置される。本実施形態のアッパバー１０は、車幅方向の中央部において車幅方向に延設されたアッパセンタバー１１と、アッパセンタバー１１の左右各端部から後方外側へ湾曲して延設されたアッパサイドバー１２とが接合されて構成される。すなわち、アッパバー１０は上面視で、車幅方向に直線状に延びるアッパセンタバー１１と左右のアッパサイドバー１２とによって略弓形に形成される。
【００１８】
バンパビーム８は、左右のクラッシュボックス７同士を接続する部材であり、フロントサイドメンバ２と略同一の高さ位置に配置される。フロントクロスメンバ９は、フロントサイドメンバ２の前端部同士を下方から接続する部材である。なお、フロントサイドメンバ２の前端部の上方には、アッパバー１０を支持するサイドポスト１３が立設される。左右一対のサイドポスト１３は、アッパバー１０の下方に位置するフロントサイドメンバ２とアッパバー１０（本実施形態ではアッパセンタバー１１の左右各端部）とを接続する。
【００１９】
［１−２．詳細構成］
本実施形態の車体前部構造は、ダッシュパネル５の前方においてボンネット室１Ａを形成する三方向（前方及び側方）の部材の車両旋回時におけるねじれを抑制するための三種類のブレース２１，２２，２３を備える。すなわち、ブレース２１，２２，２３は、車体前部の剛性を高める機能を持つ。以下、ブレース２１，２２，２３をそれぞれ、「第１ブレース２１」，「第２ブレース２２」，「第３ブレース２３」と呼び、各ブレース２１，２２，２３について詳述する。
【００２０】
図２に示すように、左右一対の第１ブレース２１は、アッパバー１０の車幅方向中間部と、アッパバー１０よりも後方において車幅方向の左右両側に位置する一対の固定先部材のそれぞれとを接続する。本実施形態の車体前部構造には、固定先部材として、スプリングハウス６の上端部に固定されるとともにその上面６ａから上方へ立設されたブラケット２４が設けられる。すなわち、本実施形態の各第１ブレース２１は湾曲形成されており、その前端部がアッパバー１０の車幅方向中間部のうち略中央の上面に固定され、その後端部が各ブラケット２４の上面に固定される。なお、第１ブレース２１の各前端部は、少なくともアッパバー１０の車幅方向両端部を除いた中間部に固定されていればよく、中央に固定されるものに限られない。
【００２１】
本実施形態の第１ブレース２１は、上面視で内側（後方内側）に向かって凸となるように湾曲形成されている。すなわち、第１ブレース２１は、図３（ａ）に示すように、その前端部と後端部とを結ぶ直線（二点鎖線）に対し、中間部が内側に位置するように弓形に湾曲している。本実施形態の第１ブレース２１はさらに、図２に示すように、前面視で上方に向かって凸となるように湾曲形成されている。つまり、第１ブレース２１は三次元的に湾曲している。なお、本実施形態の第１ブレース２１はパイプ状であって、その前端部及び後端部のそれぞれに平坦部が設けられており、この平坦部においてボルト締結される。
【００２２】
このように、第１ブレース２１は、左右のブラケット２４とアッパバー１０の中間部とを斜めに接続する。これにより、図３（ｂ）に示すように、車両旋回時において、一方の第１ブレース２１が引っ張られるとともに他方の第１ブレース２１が圧縮されるように変位しようとしても、どちらもその動きが制限されることになり、車体前部のねじれが抑制される。
【００２３】
図２に示すように、本実施形態のブラケット２４は、板金を屈曲するとともに接合することで、前面，後面，内面，外面，上面の計５面を有するタワー形状に形成される。ブラケット２４は、例えばアッパバー１０と同等かそれ以上の剛性を持つ高剛性部材として設けられる。なお、ブラケット２４は、その下端部がスプリングハウス６の上端部にスポット溶接等で接合されることで立設される。ブラケット２４の上面は平坦面に形成され、この上面に第１ブレース２１の後端部が載置されたのちボルト締結されることで、第１ブレース２１が固定される。
【００２４】
第２ブレース２２は、図２に示すように一本だけ設けられ、一対の第１ブレース２１間を接続する。本実施形態の第２ブレース２２は、第１ブレース２１の後端部（ブラケット２４近傍）同士を繋ぐように車幅方向に延設される。本実施形態の第２ブレース２２は直線のパイプ状であり、その左右の各端部に平坦部が設けられており、この平坦部において第１ブレース２１と固定される。なお、第２ブレース２２の固定方法は特に限られず、例えば第１ブレース２１に対して溶接により固定してもよいし、ボルト締結してもよい。このように、斜めに延びる第１ブレース２１同士を接続する第２ブレース２２を設けることで、車体前部のねじれがより効果的に抑制される。
【００２５】
左右一対の第３ブレース２３は、アッパバー１０の車幅方向中間部と左右それぞれのサイドポスト１３とを接続する。本実施形態の第３ブレース２３は、その上端部がアッパバー１０の車幅方向中間部のうち略中央の前面に固定され、その下端部が各サイドポスト１３の下端部の前面に固定される。また、本実施形態の第３ブレース２３は、上面視で前方に凸となるように湾曲形成されており、ボンネット室１Ａに配置されるエアコンコンデンサやラジエータ等（いずれも図示略）との干渉が回避される。なお、第３ブレース２３が、前面視で上方又は下方に凸となるように（すなわち三次元的に）湾曲形成されていてもよいし、上面視及び前面視の少なくとも一方で直線状となるように設けられていてもよい。
【００２６】
このように、第３ブレース２３は、左右のサイドポスト１３とアッパバー１０の中間部とを斜めに接続する。これにより、第１ブレース２１と同様に、車両旋回時において、一方の第３ブレース２３が引っ張られるとともに他方の第３ブレース２３が圧縮されるように変位しようとしても、どちらもその動きが制限されることになり、車体前部のねじれが上方（第１ブレース２１）及び前方（第３ブレース２３）の二方向から抑制される。
【００２７】
本実施形態の車体前部構造では、一対の第１ブレース２１及び一対の第３ブレース２３がいずれも左右対称に設けられる。また、図２に示す例では、第１ブレース２１の各前端部がアッパバー１０に固定される車幅方向位置と、第３ブレース２３の各上端部がアッパバー１０に固定される車幅方向位置とが僅かにずれている（前者が後者よりも外側にある）が、これらの車幅方向位置が一致していてもよい。この場合、車体前部のねじれがより効果的に抑制される。
【００２８】
［１−３．作用，効果］
（１）上述した車体前部構造によれば、上面視で斜め（ハの字状）になるように配置された一対の第１ブレース２１と、これらを接続する第２ブレース２２とによって、車両旋回時における車体前部のねじれを効果的に抑制することができる。これにより、車両旋回時に車体前部がふらつかずにスムーズに曲がるため、操縦安定性及び乗り心地を共に向上させることができる。
【００２９】
また、第１ブレース２１は直線状ではなく湾曲形成されているため、前方から荷重が入力されたときに変形することで荷重を吸収できることから、その荷重が第１ブレース２１を介して車体（例えばスプリングハウス６等）に伝達することを抑制できる。これにより、車両前側を軽くぶつけたときのような軽い前突時に車体が受けるダメージを抑制することができ、軽衝突時の修理コストを抑えることができる。なお、第１ブレース２１の湾曲方向によっては、第１ブレース２１を取り外すことなくボンネット室１Ａ内にアクセスしやすくなり、例えば補機バッテリ等を容易に交換することができる。
【００３０】
（２）上述した第１ブレース２１は、上面視で内側に凸となるように湾曲形成されているため、図３（ｃ）に示すように、前方から荷重（図中白抜き矢印）が入力された場合に、第１ブレース２１を後方内側へ凸となるように湾曲又は屈曲変形させることができる。このため、図３（ｄ）の変形例として示した車体前部構造の場合と比較して、変形後の第１ブレース２１が突っ張ることがないため、変形によって荷重を吸収しつつ、その荷重が車体へ伝達されることをも防ぐことができる。このため、軽い前突時に車体が受けるダメージをより抑制することができる。
【００３１】
なお、図３（ｄ）の変形例では、第１ブレース２１′が、上面視で前方へ凸となるように湾曲形成されている。この場合、前方からの荷重入力により第１ブレース２１′が突っ張るように変形しうるが、車両旋回時における車体前部のねじれを抑制する効果は、図３（ｃ）の構成と同様に得ることができる。
【００３２】
（３）上述した第１ブレース２１は、前面視で上方に向かって凸となるように湾曲形成されている。このため、前方から荷重が入力されたときに、第１ブレース２１を上方へ凸となるように変形させることができる。これにより、ボンネット室１Ａ内に配置されているパワープラント等との接触を回避しながら荷重を吸収することができ、車体が受けるダメージを抑制することができる。
【００３３】
さらに、上述した実施形態のように、第１ブレース２１が三次元的に湾曲形成されている場合には、前方から荷重が入力されたときに、第１ブレース２１を三次元的に、すなわち上方かつ後方内側へ凸となるように変形させることができる。このため、車体が受けるダメージをより抑制することができる。
【００３４】
（４）上述した車体前部構造では、第１ブレース２１の固定先部材としてブラケット２４が設けられるため、第１ブレース２１の変形に加えて、ブラケット２４も変形することで荷重を吸収することができる。これにより、第１ブレース２１が直接的に車体（例えばスプリングハウス６等）に固定される場合と比較して、車体が受けるダメージをより抑制することができる。
【００３５】
（５）上述した車体前部構造では、アッパバー１０の車幅方向中間部と各サイドポスト１３とを接続する一対の第３ブレース２３が設けられているため、車両前側からも車体前部のねじれを抑制することができる。
（６）また、第１ブレース２１の各前端部がアッパバー１０に固定される車幅方向位置と、第３ブレース２３の各上端部がアッパバー１０に固定される車幅方向位置とが一致している場合には、車体前部のねじれを上方と前方の二方向から効果的に抑制することができるため、操縦安定性及び乗り心地をより一層向上させることができる。
【００３６】
［２．第二実施形態］
次に、図４及び図５（ａ）〜（ｄ）を用いて、第二実施形態にかかる車体前部構造を説明する。なお、上述した第一実施形態と同様の構成については、第一実施形態と同一の符号を付し、重複する説明は省略する。本実施形態の構造は、第１ブレース間を接続する第２ブレース２２′の構成を除いて、第一実施形態の構成と同一である。
【００３７】
図４及び図５（ａ），（ｂ）に示すように、本実施形態の第２ブレース２２′は、車幅方向に延設されて一対の第１ブレース２１の中間部同士を接続している。本実施形態の第２ブレース２２′も直線のパイプ状であり、その左右の各端部に平坦部が設けられている。第１ブレース２１の中間部には、第２ブレース２２′を取り付けるためのフランジ２５が固定されている。なお、フランジ２５は、第１ブレース２１の中間部において車幅方向内側に向かって突設された板状部材である。第２ブレース２２′は、フランジ２５に例えばボルト締結されることで、フランジ２５を介して第１ブレース２１に固定される。
【００３８】
本実施形態の第２ブレース２２′には、図４に示すように、その中間部に第１ブレース２１の変形を阻害しないための変形許容部２６が設けられる。変形許容部２６は、例えば図４に示すように、パイプ状の第２ブレース２２′を部分的にへこませた凹部として設けられていてもよいし、ビードや切欠き部等として設けられていてもよい。変形許容部２６は、第１ブレース２１が図５（ｃ）に示すように互いに接近する方向に変形した場合には、屈曲することでその変形を許容する（阻害しない）。
【００３９】
一方、変形許容部２６は、第１ブレース２１′が図５（ｄ）に示すように互いに離隔する方向に変形した場合には、分離することでその変形を許容する（阻害しない）。なお、第２ブレース２２′が、屈曲を促す変形許容部２６と分離を促す変形許容部２６とを異なる位置に備えていてもよい。例えば、第２ブレース２２′とフランジ２５とがボルト締結される場合に、変形許容部が、荷重の入力によりボルトが破断するように構成されていてもよい。
【００４０】
したがって、本実施形態の車体前部構造であっても、上述した第一実施形態と同様に、上面視で斜め（ハの字状）になるように配置された一対の第１ブレース２１，２１′と、これらを接続する第２ブレース２２′とによって、車両旋回時における車体前部のねじれを効果的に抑制することができる。これにより、車両旋回時に車体前部がふらつかずにスムーズに曲がるため、操縦安定性及び乗り心地を共に向上させることができる。
【００４１】
さらに、第２ブレース２２′が第１ブレース２１，２１′の中間部同士を接続することから、第一実施形態の構成に比べて、第１ブレース２１，２１′自体のねじれを効果的に抑制できるため、車両旋回時における車体前部のねじれをさらに効果的に抑制できる。なお、本実施形態の構成によれば、第一実施形態と同様の構成からは同様の効果を得ることができる。
【００４２】
［３．その他］
上述した車体前部構造は一例であって、上述したものに限られない。例えば、第１ブレースの湾曲方向は上述したものに限られず、図３（ｄ）や図５（ｄ）に示すように上面視で外側に向かって凸となっていてもよいし、前面視で下方に向かって凸となっていてもよい。また、三次元的に湾曲していなくてもよく、例えば、第１ブレースが前面視では直線状に延設されていてもよい。
【００４３】
また、第１ブレース２１の後端部が固定される固定先部材がブラケット２４ではなく、車体（例えばスプリングハウス６等）であってもよい。また、第２ブレース２２，２２′は車幅方向に延設されて第１ブレース２１，２１′間を接続するものであればよく、例えば上面視で僅かに斜めになっていてもよい。また、第２ブレースの本数は１本に限られず、例えば上述した第２ブレース２２及び２２′の両方を設けてもよい。なお、第３ブレース２３は必須の構成ではなく省略可能である。
【００４４】
上述した実施形態では、モノコック構造の車両１に適用された車体前部構造を説明したが、図６に示すように、シャシフレーム構造の車両１′に対して上述した車体前部構造を適用してもよい。シャシフレーム構造の車両１′には上記のスプリングハウス６が存在しないため、アッパバー１０′よりも後方においてアッパバー１０′の左右両側に位置するフードヒンジブラケット３０に第１ブレース２１の後端部が固定される。すなわち、車両１′では、固定先部材がフードヒンジブラケット３０とされる。フードヒンジブラケット３０は、アッパバー１０′と同等かそれ以上の剛性を持つ高剛性部材である。
【００４５】
第１ブレース２１，第２ブレース２２及び第３ブレース２３は、上述した第一実施形態と同様に形成され、車両１′の車体前部に適用される。なお、図６に示す車両１′では、第１ブレース２１の各前端部がアッパバー１０に固定される車幅方向位置と、第３ブレース２３の各上端部がアッパバー１０に固定される車幅方向位置とが一致している。このような構成であっても、上述した実施形態と同様の作用効果を得ることができる。なお、図６に示す車両１′から第３ブレース２３を省略してもよい。
【符号の説明】
【００４６】
１，１′  車両
２  フロントサイドメンバ（骨格部材）
６  スプリングハウス
１０  アッパバー
１３  サイドポスト
２１，２１′  第１ブレース
２２，２２′  第２ブレース
２３  第３ブレース
２４  ブラケット（固定先部材）
２６  変形許容部
３０  フードヒンジブラケット（固定先部材）
【図１】
2020006851.tif 000003
【図２】
2020006851.tif 000004
【図３】
2020006851.tif 000005
【図４】
2020006851.tif 000006
【図５】
2020006851.tif 000007
【図６】
2020006851.tif 000008